(57)【特許請求の範囲】
【請求項１】
対象物を取り囲むための開放可能な包装体であって、壁（１）が設けられており、ほぼ平らな少なくとも１つの壁エレメント（１１，１２，１３，１４）に対角線折り目（２１，２２，２３，２４）が設けられており、該対角線折り目（２１，２２，２３，２４）を介して壁の一部が、蓋（２）として旋回可能に枢設されている形式のものにおいて、対応配置された蓋（２，２′，２′′，２′′′）を備えた少なくとも２つの対角線折り目（２１，２２，２３，２４）が設けられており、蓋（２，２′，２′′，２′′′）が、閉鎖された状態で少なくとも部分的に重なっており、各蓋（２，２′，２′′，２′′′）が、壁の、蓋（２，２′，２′′，２′′′）に対応配置された部分に少なくとも１つの立体角隅（２９）を有しており、ほぼ平らな各壁エレメント（１１，１２，１３，１４）に多くとも１つの対角線折り目（２１，２２，２３，２４）が設けられていることを特徴とする、対象物を取り囲むための開放可能な包装体。
【請求項２】
ほぼ平らな壁エレメント（１１，１２，１３，１４）が、少なくとも３つの仕切り縁部（１１１）を有しており、対角線折り目（２１，２２，２３，２４）が、全ての仕切り縁部（１１１）に対して平行に方向付けられていない、請求項１記載の包装体。
【請求項３】
対角線折り目（２１，２２，２３，２４）が、ほぼ平らな壁エレメント（１１，１２，１３，１４）の、仕切り縁部（１１１）から形成された１つまたは２つの角隅を通って延びている、請求項２記載の包装体。
【請求項４】
旋回可能な蓋（２，２′，２′′，２′′′）が、閉鎖された状態で当該包装体の壁（１）に部分的にオーバラップして形成されている、請求項１から３までのいずれか１項記載の包装体。
【請求項５】
オーバラップ部もしくは重なり部が、少なくとも１つの壁エレメント（１１，１２，１３，１４，１５，１６，１７，１８）に設けられており、該壁エレメント（１１，１２，１３，１４，１５，１６，１７，１８）の各壁層の切り口が、開放縁部（２５）を形成している、請求項１から４までのいずれか１項記載の包装体。
【請求項６】
蓋（２，２′，２′′，２′′′）の立体角隅（２９）が、湾曲させられた構造部から形成されている、請求項１から５までのいずれか１項記載の包装体。
【請求項７】
折り可能な面状の材料から成る、特に請求項１から６までのいずれか１項記載の開放可能な包装体（１）のための裁断片であって、複数の壁エレメント（１１，１２，１３，１４，１５，１６，１７，１８）が設けられており、該壁エレメント（１１，１２，１３，１４，１５，１６，１７，１８）が、それぞれ１つの折り線（１０１）を介して折り可能に結合していて、組立て時に包装体（１）の、組み合わされる仕切り縁部（１１１）を形成している形式のものにおいて、少なくとも２つの壁エレメント（１１，１２，１３，１４）に、壁エレメントの仕切り縁部（１１１）に対して平行でない１つの対角線折り目（２１，２２，２３，２４）が設けられており、該対角線折り目（２１，２２，２３，２４）を介して壁の一部が、蓋（２，２′，２′′，２′′′）として旋回可能に枢設されており、壁（１）の旋回可能な蓋（２，２′，２′′，２′′′）が、壁エレメント領域（１１′，１２′，１３′，１４′）の、対応配置された壁エレメントの対角線折り目（２１，２２，２３，２４）を介して旋回可能な部分のほかに、組立て時に少なくとも１つの立体角隅（２９）を形成する少なくとも２つの別の壁エレメントまたは壁エレメント領域を有していることを特徴とする、開放可能な包装体のための裁断片。
【請求項８】
壁エレメント（１１，１２，１３，１４，１５，１６，１７，１８）に、折り線（１０１）を介して結合された結合舌片（１００）が設けられており、該結合舌片（１００）が、組立て時に包装体（１）の、接合される仕切り縁部（１１１）を形成している、請求項７記載の裁断片。
【請求項９】
互いに隣接する少なくとも２つの壁エレメント（１１，１２，１３，１４）または壁エレメント領域（１１′，１１′′，１１′′′，１２′，１２′′，１２′′′，１３′，１３′′，１４′，１４′′，１６′，１６′′，１６′′′，１６′′′′）の組み立てたい縁部の少なくとも１つの縁部が直線状でなく、これによって、組立て時に、湾曲させられた構造部が生ぜしめられるようになっている、請求項７または８記載の裁断片。
【請求項１０】
直線状でない縁部が、蓋（２，２′，２′′，２′′′）に設けられており、これによって、組立て時に立体角隅（２９）が、湾曲させられた構造部として形成されている、請求項９記載の裁断片。
【発明の詳細な説明】
【技術分野】
【０００１】
本発明は、対象物を取り囲むための開放可能な包装体であって、壁が設けられており、ほぼ平らな少なくとも１つの壁エレメントに対角線折り目が設けられており、該対角線折り目を介して壁の一部が、蓋として旋回可能に枢設されている形式のものに関する。さらに、本発明は、このような包装体のための裁断片に関する。
【０００２】
開放可能な包装体は、公知先行技術において種々異なる構成で知られている。たとえば、直方体状の古典的な折り箱では、直方体の少なくとも１つの面、たいてい両端面が面全体にわたって開放可能である。この場合、このような形式の直方体状の包装体のための裁断片には、折り線を介して残りの包装体に枢設された開放可能な端面のほかに、包装体にたいてい、折り目を介して枢設された２つの保持舌片が設けられており、開放可能な端面に付加的に１つの差込み舌片が設けられている。このような形式の包装体、たとえば練り歯磨きチューブのための包装体は比較的快適に開放することができ、必要な場合には、再閉鎖することもできる。しかし、手による閉鎖舌片の導入に手間がかかり、包装体が、開放された状態でそれほど気に入られないという欠点がある。
【０００３】
贈答品、公告品またはＣＤのための気に入られる包装体は、ドイツ連邦共和国特許第１９５３２４５４号明細書に基づき公知である。この公知の包装体では、フラットなまたは特に角錐形の包装体形状が面状の一体の裁断片から形成される。この裁断片は、底エレメントから起立したサイドエレメントに切込みを有している。この切込み内には、包装体の組立て時に、サイドエレメントに重なる舌片エレメントが差込み可能である。これにより、包装体裁断片の簡単な差し合わせによって、安定した三次元的な包装体が形成される。にもかかわらず、この包装体は常に面状の裁断片に開放することができる。この場合、開放された包装体は特別な展示特徴を示さない。むしろ、この包装体は、多色のまたは装飾的に着色された材料から成る厚紙裁断片製の贈答用包装体として形成されて、常に閉鎖されて使用されることが望ましい。補足的には、透明なバリエーションも提案される。
【０００４】
ドイツ連邦共和国特許第２４０８８７９号明細書に基づき、折り可能な材料、たとえば板紙またはこれに類するものから成る、個別の品物のための直方体状の箱、特に煙草箱が公知である。この公知の箱は、上側の領域に設けられた、隣接する複数の箱壁にわたって延びる取出し開口を備えた主部分と、複数の壁から成る、箱の一部として形成された、箱の主部分に旋回可能に枢設された閉鎖キャップとから成っている。この閉鎖キャップは、閉鎖された状態で箱を完成させていて、この場合、取出し開口の領域と、主部分の、取出し開口に続く壁区分とを取り囲んでいる。この場合、取出し開口は片側で箱の角隅領域に位置している。この場合、折り線によってマーキングされた旋回軸線は箱の広幅面にわたって斜めに延びている。この場合、閉鎖キャップは、互いに直角を成して向けられた３つの壁から成っている。
【０００５】
さらに、ドイツ連邦共和国実用新案第９２１３５９３号明細書に基づき、上方で開放する直方体状の収容部分と、この収容部分の、幅方向に延びる上側の縁部に位置する旋回軸線を中心として開放旋回可能である蓋とを備えた、直方体状のポーションパックで包装される品物のための包装システムが公知である。この場合、収容部分の、旋回軸線に対して垂直な側壁は、旋回軸線から離れた前壁から共通の縁部で少なくとも高さの上側の部分にわたって分離されている。この場合、側壁は対角線、つまり、旋回軸線から分離部の下側の端部に延びる弱化線を有している。この端部の上側の区分は開放旋回可能である。
【０００６】
ヨーロッパ特許出願公開第１２１６９２６号明細書に基づき、調製食品対象物のための包装体が公知である。この公知の包装体では、少なくとも１つの立体角隅を有する個々の区分が、対角線折り目を中心として旋回可能に枢設されている。この場合、旋回可能な区分の対角線折り目は全て包装体の底部に配置されている。たとえば紐輪による底部の持上げ時には、旋回可能な区分が下方に旋回し、内部に収容された調製食品対象物のための提供ホルダを形成している。
【０００７】
本発明の課題は、容易に開放可能であると共に再閉鎖可能であり、さらに、特殊な開放体験もしくは開放された状態での高い展示価値を示す、対象物の取囲み体としての安定した包装体を提供することである。さらに、本発明の課題は、このような包装体のための裁断片を提供することである。
【０００８】
この課題は、請求項１記載の包装体ならびに請求項７記載の裁断片によって解決される。
【０００９】
対応配置された蓋を備えた少なくとも２つの対角線折り目が設けられていることによって、包装体の驚くべき開放機能性が達成される。相応して、裁断片は、折り可能な面状の材料から形成されている。少なくとも２つの対角線折り目により実現される開放機能によって、それぞれ包装体壁の一部が蓋として包装体の幾何学的な形状に対して斜角を成して開放旋回させられる。この場合、蓋は、閉鎖された状態で完全にまたは部分的に重なっている。これによって、包装体の魅力的な展示機能が、開放された状態でもしくは部分開放された状態で得られる。閉鎖された状態では、重なる蓋が互いに上下で支持されていて、したがって、安定した包装体を形成している。
【００１０】
この場合、たとえば三角形の面、四角形の面または多角形の面、いずれにせよ、ほぼ平らな面の、反対の側に位置する２つの縁点または角隅点の間に設けられた折り目、つまり、対角線折り目が設けられていることが重要である。この折り目は、ほぼ立体幾何学的な包装体を開放もしくは再閉鎖するための「ヒンジ」として働く。さらに、各蓋が、壁の、蓋に対応配置された部分に少なくとも１つの立体角隅を有していることが重要である。これによって、壁の、開放可能な蓋を形成する旋回可能な部分が、張設された立体角隅によって安定化される。相応して、壁の旋回可能な蓋部分は、壁エレメントの、対応配置された壁エレメントの対角線折り目を介して旋回可能な部分のほかに、組立て時に少なくとも１つの立体角隅を有する少なくとも２つの別の壁エレメントを有している。これによって、安定した立体角隅を備えて形成された蓋を備えた包装体を有する裁断片が提供されている。包装体は、閉鎖された状態で著しく安定している。開放された状態では、蓋がねじり剛性的であり、美的に特に気に入られるように作用する。
【００１１】
これにより、本発明による包装体によって、ただ１つの包装体に包装機能と展示機能とをまとめることが実現されている。この結果、内部に収容された品物の著しく良好な提供ならびに著しく情緒的な新しい開放体験が得られる。同時に対角線折り目包装体は、従来それほど使用することができない公告面および情報面を蓋もしくは包装体の、以前には使用されない、いまや立派な内面に提供する。
【００１２】
ほぼ平らな壁エレメントが、少なくなくとも３つの仕切り縁部を有しており、対角線折り目が、全ての仕切り縁部に対して平行に方向付けられていない場合に開放過程に特に関心が引かれる。この場合、驚くべきことに、機能性の、つまり、開放および再閉鎖したい包装体が常に実現される。
【００１３】
対角線折り目が、ほぼ平らな壁エレメントの、仕切り縁部から形成された１つまたは２つの角隅を通って延びていることによって、包装体の少なくとも１つの仕切り縁部が、包装体の開放時に形成される開放縁部に合致することが達成される。対角線折り目が壁エレメントの２つの角隅を通って延びている場合には、この開放方向に対して、可能な限り大きな開放幅が達成される。したがって、包装体内に収容された対象物を、包装体の開放時に全面にわたって覗き込むことができ、容易に取り出すことができる。
【００１４】
裁断片において、壁エレメントに、折り線を介して結合された結合舌片が設けられており、該結合舌片が、組立て時に包装体の、接合される仕切り縁部を形成していることによって、蓋の立体角隅だけでなく、包装体の残りの立体角隅もねじり剛性的となり、安定性を備えて形成される。
【００１５】
旋回可能な蓋が、閉鎖された状態で包装体の壁に部分的にオーバラップして形成されていることによって、包装体の強度が、閉鎖された状態でさらに高められる。
【００１６】
オーバラップ部もしくは重なり部が、少なくとも１つの壁エレメントに設けられており、該壁エレメントの各壁層の切り口が、開放縁部を形成していることによって、手による包装体の開放が容易になる。なぜならば、各壁層の開放縁部が包装体縁部に合致しないからである。外側の壁層の開放縁部は、使用者の指を壁エレメントの下側の壁層に沿って滑動させることによって操作することができる。これによって、包装体の、外側の壁層に対応配置された蓋が開放される。
【００１７】
蓋の立体角隅が、湾曲させられた構造部から形成されていると、立体角隅の、蓋を安定化させる機能が、湾曲させられた構造部の空間形状によって「準立体角隅」として模造される。蓋の立体角隅のこのような湾曲させられた構造部は、たとえば１回の成形プロセスによってプラスチックから製作することができる。
【００１８】
裁断片において、組立て時に、湾曲させられた構造部は、面状の弾性的な材料を使用して形成することができる。この場合、互いに隣接する少なくとも２つの壁エレメントまたは壁エレメント領域の組み立てたい縁部の少なくとも１つの縁部が直線状でなく、これによって、組立て時に、湾曲させられた構造部が生ぜしめられるようになっている。このような形式の裁断片において、組立て時に蓋の立体角隅を、湾曲させられた構造部として形成するためには、直線状でない縁部が、蓋に設けられており、これによって、組立て時に立体角隅が、湾曲させられた構造部として形成されている。
【００１９】
この場合、面状の材料として全ての包装材料、たとえば紙、板紙、段ボール、マイクロ波、プラスチック、プラスチックシート、プレキシガラス、金属薄板および適宜に加工されたガラスおよび木材が考慮される。この場合、本発明による原理は、種々異なる立体幾何学的な形状、たとえば立方体、直方体、角錐台形等に種々異なる形で使用可能である。湾曲させられた面、丸み付けられた縁部および／または角隅を備えた空間形状も可能である。
【００２０】
以下に、本発明の実施例を図面につき詳しく説明する。
【００２１】
以下の新規の実施例では、同機能の構成部分を同じ符号で使用する。念のために付言しておくと、本発明による対角線折り目は多数の包装体形状に使用可能であり、全てのバリエーションを実施例につき完全に図示することは不可能である。裁断片図には、折り線が破線で示してある。本発明による対角線折り目は裁断片に濃い破線で図示してある。切断縁部は実線として示してある。
【００２２】
図１に示した実施例は、方形の底面と、相応に４つの側面とを備えた一種の角錐台形である。すなわち、この角錐台形では、全部で６つの壁エレメント１１，１２，１３，１４，１５，１６が、相応に特徴付けられて、対象物を取り囲む壁１を生ぜしめる。
【００２３】
角錐形の包装体（壁１）は一体の面状の裁断片１０から形成されている。図１ｃ）に示したように、この裁断片１０は、底面を形成する方形の壁エレメント１５と、この壁エレメント１５に続く、ほぼ台形を有する、包装体の背面を形成する壁エレメント１４と、両側に続く、同じくほぼ台形を有する側壁としての壁エレメント１１，１２と、この壁エレメント１１，１２に両側で続く壁エレメント領域１３′，１３′′とから成っている。壁エレメント１１，１２の上側の仕切り縁部には壁エレメント領域１６′，１６′′が付設されている。この壁エレメント領域１６′，１６′′は、裁断片１０の組み立てられた状態で角錐台形の包装体の上側の壁エレメント１６を形成している。さらに、裁断片１０では、結合舌片または接着舌片１００が壁エレメント１１，１２，１３，１５に一体成形されている。さらに、開放舌片２６が壁エレメント領域１３′′もしくは壁エレメント領域１３′′の結合舌片１００に一体成形されている。
【００２４】
壁エレメント１１，１２には、それぞれ１つの対角線折り目２１，２２が形成されている。図１ｃ）に示した裁断片１０では、壁エレメント１１が対角線折り目２１を備えている。この場合、この対角線折り目２１は、壁エレメント１１の、図面で左下に示した角隅と、壁エレメント１１の、右上に向かって対角線方向で反対の側に位置する角隅とを通って延びている。これに対して鏡像対称的に対角線折り目２２が壁エレメント１２に配置されている。
【００２５】
しかし、この場合、対角線折り目２１，２２が、相応の壁エレメントの、対角線方向で反対の側に位置する２つの角隅を通って延びている必要は必ずしもない。むしろ、対角線折り目２１，２２は、角隅点であってもよい反対の側に位置する２つの縁点の間で任意に１つの面に位置決めされていてよい。「対角線方向」という言葉は、折り目が、考慮される壁エレメントの仕切り縁部に対して平行に形成されていないことを意味している。
【００２６】
図１ｂ）に認めることができるように、図１ｃ）で対角線折り目２１の左側に位置する壁部分２は、旋回可能な第１の蓋を形成しており、対角線折り目２２の右側に位置する壁部分２′は包装体１の第２の蓋を形成している。両対角線折り目２１，２２の間の中央の区分は、包装体の、対象物を収容するために設けられた下側の部分１′を形成している。蓋２，２′は、対角線折り目２１；２２によって分割された壁エレメント領域１１′′；１２′′のほかに、さらに２つの別の壁エレメント領域、つまり、蓋２に対応配置された壁エレメント領域１３′，１６′と、蓋２′に対応配置された壁エレメント領域１３′′，１６′′とが所属しているように形成されている。これらの壁エレメント領域１１′′，１３′，１６′；１２′′，１３′′，１６′′は、それぞれ１つの直角な立体角隅２９を張設している。
【００２７】
この場合、立体角隅とは、それぞれ異なる空間方向で位置決めされた面状の３つの壁エレメントが立体角隅点で突き合わされていて、互いに結合されていることを意味している。また、湾曲させられた構造部の形の準立体角隅を面状の壁エレメントから形成することもできる。この壁エレメントは、それぞれ異なる空間方向で位置決めされて、湾曲させられた構造部を介して互いに結合されている。各包装体の幾何学的な形状に相応して、立体角隅は、たとえば第３の実施例に示したように、互いに直交方向に位置する突き合わされた３つの面から形成されている。
【００２８】
角錐台形の包装体の側面を形成する壁エレメント１１，１２，１３，１４の仕切り縁部１０２は直線状ではなく、各壁エレメントに関して仕切り縁部１０２の上側の部分でやや凸面状に曲げられているので、図１ａ）に示した組み立てられた状態では、包装体の上側で互いに近づく方向に凸面状に湾曲させられた側面が得られる。相応して、この側面を形成する壁エレメント１１，１２，１３，１４が、やや湾曲させられた面として形成されている。
【００２９】
図１ｂ）に示した包装体の開放時、すなわち、対応配置された対角線折り線２１，２２を中心とした蓋２，２′の開放旋回時には、相応の壁エレメント１１，１２の湾曲部が、包装体の弾性的な材料に基づき弾性変形させられる。この場合、下側の包装体部分１′に所属する壁エレメント領域１１′；１２′によって、蓋２，２′の開放旋回時の弾性的な補償が可能となる。
【００３０】
蓋２，２′は、すでに前述したように、対角線折り目２１；２２を有する壁エレメント１１，１２、つまり、壁エレメント領域１１′′；１２′′と、隣接した、立体角隅２９を形成する壁エレメント領域１３′，１６′；１３′′，１６′′とから成っている。この場合、この実施例では、壁エレメント１３を形成する壁エレメント領域１３′，１３′′だけでなく、包装体の上面、つまり、壁エレメント１６を形成する壁エレメント領域１６′，１６′′も各壁エレメントの完全なサイズで形成されており、これによって、蓋２，２′が壁エレメント１６（上面），１３（前面）の領域で完全にオーバラップして形成されている。図１ｃ）に示したように、蓋２′では、その両自由外縁部にそれぞれ開放舌片２６が一体成形されている。この開放舌片２６は、図１ａ）で閉鎖された位置から、図１ｂ）で開放された位置への包装体１の開放を容易にする。
【００３１】
図２による第２の実施例には、同じく６つの壁エレメント１１，１２，１３，１４，１５，１６を備えた立方体が示してある。しかし、この立方体はその側方の４つの壁エレメント１１，１２，１３，１４にそれぞれ１つの対角線折り目２１，２２，２３，２４を有している。この実施例では、この対角線折り目２１〜２４が正確に面を二等分して、正方形の壁エレメント１１，１２，１３，１４の正反対の２つの角隅を通って延びている。相応して、壁エレメントが対角線折り目によって、下側の包装体部分１′に所属する壁エレメント領域１１′′，１２′′，１３′′，１４′′と、対角線折り目２１〜２４の数に相応して対応配置された蓋２，２′，２′′，２′′′に所属する壁エレメント領域１１′，１２′，１３′，１４′とに分割される。
【００３２】
さらに、下側の包装体部分１′には、底部としての一体の壁エレメント１５が所属している。立方体の上面、つまり、壁エレメント１６は、４つの蓋２，２′，２′′，２′′′の、立方体状包装体１の閉鎖された状態で部分的にオーバラップする区分から形成される。この場合、各蓋２，２′，２′′，２′′′は面状の３つのエレメントを有している。これらのエレメントは互いに直交方向に位置していて、立体角２９を形成している。蓋２には、旋回可能な壁エレメント領域１１′と、上側の壁エレメント１６を部分的に形成する壁エレメント領域１６′と、側方で隣接する壁エレメント１４にわたって張り出す壁エレメント領域１４′′とが所属している。対角線折り目２２を介して旋回可能である蓋２′には、壁エレメント領域１２′と、同じく上側の壁エレメント１６を部分的に形成する壁エレメント領域１６′′と、側方で隣接する壁エレメント１３にわたってオーバラップする壁エレメント領域１３′′とが所属している。対角線折り目２３を介して旋回可能である蓋２′′には、旋回可能な壁エレメント領域１３′と、上側の壁エレメント１６を部分的に形成する壁エレメント領域１６′′′と、側方で隣接する壁エレメント１２にわたってオーバラップする壁エレメント領域１２′′とが所属している。対角線折り目２４を中心として旋回可能である蓋２′′′には、壁エレメント領域１４′と、壁エレメント１６の一部を形成する壁エレメント領域１６′′′′と、壁エレメント１１にわたってオーバラップする壁エレメント領域１１′′とが所属している。組立てのためには、裁断片１０（図２ｂ）参照）において、直接隣接した壁エレメントと、この壁エレメントに設けられた接着舌片１００とに折り線１０１が設けられている。
【００３３】
図２ａ）には、第２の実施例による包装体立方体が、開放された状態で示してある。これに基づき、開放された状態での包装体の美的に気に入られる展示機能を認めることができる。包装体の閉鎖時には、側方の壁エレメント領域オーバラップ部１１′′，１２′′，１３′′，１４′′が、側方で隣接する対応配置された壁エレメントにわたって係合し、壁エレメント領域１６′，１６′′，１６′′′，１６′′′′が、内外で係合しかつオーバラップして包装体１の上側の壁エレメント１６を形成している。蓋２，２′，２′′，２′′′にも設けられた固定の立体角隅２９と、前述したオーバラップとによって、閉鎖された状態での包装体の高い強度が得られる。蓋２，２′，２′′，２′′′は、開放された状態でもねじり剛性的である。
【００３４】
図３に示した第３の実施例では、包装体１が横置きの直方体の形状を有している。符号は、再び前記実施例に類似して付与されている。以下に、この実施例の特殊性のみを説明する。ここに示した実施例では、２つの対角線折り目２１，２２が互いに平行に直方体の、反対の側に位置する２つの面に配置されている。この場合、対角線折り目２１，２２は、所属の壁エレメント１１；１２の面を二等分していて、この壁エレメント１１；１２の互いに正反対の２つの角隅を通って延びている。この場合、壁エレメント１３は底部を形成しており、壁エレメント１４は背部を形成しており、両壁エレメント領域１１′′，１２′′は下側の包装体部分１′を形成している。図３ｃ）の裁断片１０には、これらのエレメントが中間の領域に示してある。対角線折り目２１の左側の裁断片１０の左側の部分は蓋２を形成しており、対角線折り目２２の右側の部分は蓋２′を形成している。
【００３５】
この場合、蓋２は、壁エレメント１１の、旋回可能な壁エレメント領域１１′と、前面としての壁エレメント１５の一部を形成する壁エレメント領域１５′と、直方体の上面としての壁エレメント１６の一部を形成する壁エレメント領域１６′とを有している。相応に鏡像対称的に蓋２′がエレメント領域１２′，１５′′，１６′′から形成されている。前面の壁エレメント領域１５′，１５′′だけでなく、壁エレメント領域１６′，１６′′も、対応配置された壁エレメント１５；１６のサイズにほぼ形成されている。この場合、蓋に形成された立体角隅２９に対して面状の正反対の角隅は丸み付けられて形成されている。図示の実施例では、図３ａ）によれば、蓋２が、蓋２′に重なって形成されている。この場合、壁エレメント領域１６′，１６′′ならびに壁エレメント領域１５′，１５′′はほぼ全面でオーバラップしている。この場合、蓋２′の仕切り縁部１１１は、蓋２の、折り畳まれる縁部の内部に接触している。これによって、包装体の側圧に対しても高い安定性が達成される。蓋２，２′の、丸み付けられた角隅は、包装体１の開放を簡単にする開放縁部２５を形成している。
【００３６】
図４による第４の実施例では、２つの蓋２，２′を備えた横置きのフラットな直方体（図４ａ）参照）が示してある。この直方体では、対角線折り面を形成する壁エレメント１１，１２が１つの角隅線で互いに隣接している。延ばされた方形の基本形状によって、等しくない開放面が生ぜしめられる（図４ｂ）参照）。この場合、底部として形成された壁エレメント１３には、図４ｃ）の裁断片１０によれば、両側面１１，１２が折り線を介して接合されている。したがって、壁エレメント１１の下側の壁エレメント領域１１′と、壁エレメント１２の下側の壁エレメント領域１２′と、底部１３としか下側の包装体部分１′を形成していない。
【００３７】
対角線折り目２１を介して旋回可能な蓋２は、壁エレメント１１の上側の壁エレメント領域１１′′と、上面を形成する壁エレメント１６を部分的に生ぜしめる壁エレメント領域１６′と、側方の壁エレメント１５に対応配置された壁エレメント領域１５′とから形成されている。これら３つの部分面は立体角２９を形成している。この立体角２９は折り線と接着舌片とに相応して裁断片１０から組み立てられる。
【００３８】
対角線折り目２２を介して旋回可能な蓋２′は、上側の壁エレメント領域１２′′のほかに、上面を形成する壁エレメント１６の壁エレメント領域１６′′と、側方の壁エレメント１５の壁エレメント領域１５′′と、直方体の側面を形成する壁エレメント１４全体とを有している。図４ｃ）に示した対角線折り目２２の右側の裁断片１０に相応して、これら４つの面部分が図示の折り線１０１を介してかつ両接着舌片１００によって、組み立てられた状態で２つの立体角２９を形成している。
【００３９】
したがって、蓋２，２′は高い安定性を有している。有利には、ただ１つの立体角隅２９しか有していない蓋が、２つの立体角隅２９を有する蓋２′にオーバラップして載着される。これによって、包装体の総安定性がさらに高められる。下面を形成する壁エレメント１３は、この実施例では、適宜な材料選択によって、より安定性を備えて形成することができる。
【００４０】
図５には、壁エレメント１４；１５としての三角形の底面および上面と、壁エレメント１１，１２，１３としての同一のサイズの方形の３つの側面とを備えた包装体１の実施例（図５ａ）参照）が示してある。この包装体１も同じく２つの対角線折り目２１，２２を有している。両対角線折り目２１，２２を中心として、対応配置された２つの蓋２，２′が旋回可能に枢設されている（図５ｂ）およびｃ）参照）。
【００４１】
正三角形の形で形成された底部としての壁エレメント１４には、図５ｄ）によれば、背壁としての方形の壁エレメント１３が折り線１０１を介して展開されている。別の両側面１１，１２は対角線折り目２１；２２を有している。面の相応の下側の部分１１′′，１２′′は接着舌片１００を介して同じく底エレメントに位置決めされている。
【００４２】
対角線折り目２１を介して旋回可能な蓋２は、壁エレメント１１の、旋回可能な部分に相応の壁エレメント領域１１′と、同じく正三角形として形成された上面（壁エレメント１５）を形成する壁エレメント領域１５′と、第２の蓋２′に上方から係合する壁エレメント領域１２′′′とから成っている。これら３つの部分面は折り線１０１と接着舌片１００とを介して１つの立体角２９を形成している。この立体角２９では、２つの面、つまり、面１１′，１２′′′が６０゜の角度に合致しており、第３の面（１５′）がこれに対して直交方向に配置されている。これに対して鏡像対称的に蓋２′が包装体の別の側に形成されている。
【００４３】
図６による第６の実施例には、直角に起立した側面を備えた六角形の形状が示してある。相応して、側方の６つの壁エレメント１１，１２，１３，１４，１５，１６が形成されている。六角形の壁エレメント１７は包装体１の底部を形成している。この底部には、図６ｄ）の裁断片１０に相応して、折り線１０１を介して壁エレメント１３が鉛直方向上向きに直立させられている。この壁エレメント１３には、左側で対角線折り目２１を備えた壁エレメント１１がかつ右側で対角線折り目２２を備えた壁エレメント１２が折り線１０１を介して続いている。したがって、下側の包装体部分１′には、底部１７と、背部分１３と、壁エレメント領域とが所属している。この壁エレメント領域は接着舌片１００を介して底エレメント１７に接着されている。
【００４４】
図６ｄ）に示した裁断片１０には、対角線折り目２１の左上に蓋２のための裁断片部分が示してあり、対角線折り目２２の右上に蓋２′のための裁断片部分が示してある。蓋２は、対角線折り目２１に枢設された壁エレメント領域１１′′と、側方の壁エレメント１４と、第２の蓋２′の相応の壁エレメント領域１６′′と共に前側の壁エレメント１６をオーバラップして形成する壁エレメント領域１６′と、包装体１の上面を成す六角形の壁エレメント１８′とから成っている。第２の蓋２′は第１の蓋に対して鏡像対称的に形成されており、これによって、包装体１の上面１８′，１８′′が完全に二層に形成されている。
【００４５】
両壁エレメント領域１６′，１６′′の、斜めに切断された縁部によって、図６ａ）に示したように、包装体１の、蓋２′における開放縁部２５に上方から係合する蓋２が形成される。
【００４６】
この包装体によって、特に魅力的な展示機能が実現される。この場合、製品は、翼状に開放された蓋２，２′によって魅力的に取り囲まれて、底部を形成する六角形の壁エレメント１７に展示されている。この場合、包装体は、図６ｂ）に示したように、やや開放された状態で提供されてもよい。蓋２，２′の内面、特に二重に形成される壁エレメント１８′，１８′′の内側は付加的な公告支持体として働くことができる。閉鎖された状態では、包装体が極端に安定性を備えて良好に積上げ可能である。これによって、包装体は、内部に包装された対象物の搬送のためにも理想的に適している。
【００４７】
図７には、２つの対角線折り目２１，２２を備えた反転された角錐台形の形の包装体１が示してある。この角錐台形包装体１は壁エレメント１５として、小さな寸法の正方形の面を有している。この面には、４つの全ての辺に折り線１０１を介して相応の台形の側方の壁エレメント１１，１２，１３，１４が懸吊している。この場合、互いに反対の側に位置して配置された壁エレメント領域１１，１２はそれぞれ１つの対角線折り目２１；２２を有している。この対角線折り目２１；２２は、図７ｃ）に示した裁断片１０において、ほぼ壁エレメント１１；１２の下側の仕切り縁部の中間から、対応配置された壁エレメントの、外側に位置する上側の角隅に通じている。図７ｃ）の裁断片１０には、対角線折り目２１の左側に、蓋２を形成するエレメントが示してあり、対角線折り目２２の右側に、蓋２′を形成するエレメントが示してある。蓋２は、壁エレメント１１の上側の壁エレメント領域１１′と、壁エレメント１６と、包装体の閉鎖された状態で壁エレメント１４に部分的に重なって配置された壁エレメント１４′とから成っている。これに対して鏡像対称的に蓋２′が形成されている。閉鎖された状態では、両蓋２，２′の両壁エレメント１６が互いに完全にオーバラップして包装体の上面として配置されている。構造上の付加的な特殊性として、正面側で壁エレメント１４に覗き窓１４０が配置されている。この覗き窓１４０は、重なる壁エレメント領域１４′，１４′′によって部分的にカバーされる。この包装体も、それぞれ１つの立体角２９を張設する蓋２，２′によって、極端に安定性を備えて結合剛性的に形成されている。
【００４８】
図８による実施例には、湾曲させられた包装体面に相俟って対角線折り目を備えた包装体も可能であることが例示してある。ここに図示した実施例では、同じく２つの対角線折り目２１，２２が、立体的な包装体の互いに反対の側に配置されている。この場合、包装体１は、直方体状の包装体と類似性を有している。この包装体では、互いに反対の側に位置する２つの側面が１／４円板形状を有しており、相応して、これにより張設された外面が１／４円に沿って円弧状に９０゜だけ湾曲させられている。残りの角隅は直方体の直角な角隅に相当している。１／４円形の壁エレメント１１，１２は、この事例では、直接互いに正反対の２つの角隅を通って延びる対角線折り目２１，２２を有している。
【００４９】
図８ｄ）の裁断片１０から明らかであるように、下側の包装体部分１′を形成する領域は、方形の壁エレメント１３と、背壁としての直角な壁エレメント１４と、下側の両壁エレメント領域１１′′，１２′′とから形成されている。包装体１を閉鎖する蓋２，２′は、同じく互いに鏡像対称的に形成されている。この場合、蓋は、それぞれ面状の２つの部分エレメント、つまり、旋回可能な上側の壁エレメント１１′，１２′と、方形であるものの、湾曲させられた面１５とからしか成っていない。この場合、壁エレメント１５は適切な形式で壁エレメント１１の１／４円弧状の仕切り縁部に接合されている。したがって、蓋２，２′は、１／４円形の仕切り縁部に起因する円弧形状を介して、いわば変更された立体角を形成している。この構成では、直接的に角度を成して交わり合う面エレメントは付与されていない。にもかかわらず、準立体角としての円弧形状によって、蓋２，２′の所望の安定性が達成される。閉鎖された状態では、図８ａ）に示したように、壁エレメント領域１５′，１５′′がほぼ完全に重なっている。
【００５０】
図９には、一種の角錐形の包装体が示してある。この包装体では、角錐先端部が、湾曲させられた構造部として形成されている。ここに図示した実施例では、同じく２つの対角線折り目２１，２２が、立体的な包装体の互いに反対の側に配置されている。包装体１は、正方形の底面（壁エレメント１５）と、角錐の側面を形成する湾曲させられた４つの壁エレメント１１，１２，１３，１４とを有している。
【００５１】
包装体の開放された状態における図９ｂ）で明らかなように、互いに反対の側に位置する両対角線折り目２１，２２は、包装体の前側の下側の両角隅から壁エレメント１１；１２にわたって、背壁（壁エレメント１３）に位置する仕切り縁部に向かって包装体のほぼ半分の高さに延びている。相応して、２つの蓋２，２′が形成されている。両蓋２，２′は対角線折り目２１，２２を介して一種のヒンジ線に相応して旋回可能に形成されている。この場合、蓋２，２′は、互いに鏡像対称的に続く壁エレメント領域１１′′，１４′と、蓋２のための僅かなオーバラップ部１３′，１２′′′とを有しているかもしくは壁エレメント領域１２′′，１４′′と、蓋２′のための僅かなオーバラップ１３′′，１１′′′とを有している。
【００５２】
この場合、閉鎖された状態における図９ａ）から認めることができるように、準立体角２９は、湾曲させられた構造部の形で各蓋２，２′に、前述した壁エレメント領域と、なだらかに湾曲させられた結合部とから形成される。
【図面の簡単な説明】
【００５３】
【図１】第１の実施例における、二面の対角線折り目を備えたやや湾曲させられた４つの側面を備えた角錐台形の三次元図であり、ａ）には、閉鎖された状態が示してあり、ｂ）には、開放された状態が示してあり、ｃ）には、面状の裁断片が示してある。
【図２】第２の実施例における、四面の対角線折り目を備えた立方体の三次元図であり、ａ）には、開放された状態が示してあり、ｂ）には、面状の裁断片が示してある。
【図３】第３の実施例における横置きの直方体の三次元図であり、ａ）には、閉鎖された状態が示してあり、ｂ）には、開放された状態が示してあり、ｃ）には、面状の裁断片が示してある。
【図４】第４の実施例における横置きのフラットな直方体の形の包装体の三次元図であり、ａ）には、閉鎖された状態が示してあり、ｂ）には、開放された状態が示してあり、ｃ）には、面状の裁断片が示してある。
【図５】第５の実施例における、正三角形の底面を備えた包装体の三次元図であり、ａ）には、閉鎖された状態が示してあり、ｂ）およびｃ）には、二種類の開放された状態が示してあり、ｄ）には、面状の裁断片が示してある。
【図６】第６の実施例における、六角形の底面を備えた包装体の三次元図であり、ａ）には、閉鎖された状態が示してあり、ｂ）には、僅かに開放された状態が示してあり、ｃ）には、完全に開放された状態が示してあり、ｄ）には、面状の裁断片が示してある。
【図７】第７の実施例における四面の角錐台形としての包装体の立体図であり、ａ）には、閉鎖された状態が示してあり、ｂ）には、開放された状態が示してあり、ｃ）には、面状の裁断片が示してある。
【図８】第８の実施例における、湾曲させられた壁エレメントを備えた包装体の立体図であり、ａ）には、閉鎖された状態が示してあり、ｂ）およびｃ）には、開放された状態が示してあり、ｄ）には、面状の裁断片が示してある。
【図９】第９の実施例における、丸み付けられた上側の先端部と、二面の対角線折り目とを備えた準角錐形の包装体の立体図であり、ａ）には、閉鎖された状態が示してあり、ｂ）には、開放された状態が示してある。
【符号の説明】
【００５４】
１  包装体、  １′  包装体部分、  ２，２′，２′′，２′′′  蓋、  １０  裁断片、  １１，１２，１３，１４，１５，１６，１７，１８′，１８′′  壁エレメント、  １１′，１１′′，１１′′′，１２′，１２′′，１２′′′，１３′，１３′′，１４′，１４′′，１５′，１５′′，１６′，１６′′，１６′′′，１６′′′′  壁エレメント領域、  ２１，２２，２３，２４  対角線折り目、  ２５  開放縁部、  ２６  開放舌片、  ２９  立体角隅、  １００  接着舌片、  １０１  折り線、  １０２，１１１  仕切り縁部、  １４０  覗き窓
0004445958.tif 000002
【図２】
0004445958.tif 000003
【図３】
0004445958.tif 000004
【図４】
0004445958.tif 000005
【図５】
0004445958.tif 000006
【図６】
0004445958.tif 000007
【図７】
0004445958.tif 000008
【図８】
0004445958.tif 000009
【図９】
0004445958.tif 000010